(57)【特許請求の範囲】
【請求項１】
空気調和機本体と、前記空気調和機本体の上方に設けられる送風室と、を有する空気調和機であって、
前記空気調和機本体は、冷気を上方に吹き上げることで、冷気供給口を介して前記冷気を前記送風室へ供給し、
前記送風室は、前記冷気供給口を介して供給された前記冷気が排出される冷気吹出口を前面側に有し、
前記送風室の内部には、前記冷気供給口から前記冷気吹出口に向かって延びる円弧板が所定間隔ごとに配置されることで、前記冷気が通過する流路が形成され、
前記送風室の内部には、垂直方向に所定間隔ごとに扇形状の縦仕切板が配置され、
前記流路は、左右方向が前記縦仕切板で上下方向が前記円弧板で囲われることで形成される、
空気調和機。
【請求項２】
空気調和機本体と、前記空気調和機本体の上方に設けられる送風室と、を有する空気調和機であって、
前記空気調和機本体は、冷気を上方に吹き上げることで、冷気供給口を介して前記冷気を前記送風室へ供給し、
前記送風室は、前記冷気供給口を介して供給された前記冷気が排出される冷気吹出口を前面側に有し、
前記送風室の内部には、前記冷気供給口から前記冷気吹出口に向かって延びる円弧板が所定間隔ごとに配置されることで、前記冷気が通過する流路が形成され、
前記送風室の前記冷気を吹き出す前記冷気吹出口に取り付けられ、前記送風室よりも上下方向に大きい風向調整ボックスをさらに有し、
前記風向調整ボックスは、水平方向に所定間隔ごとに設けられる上下風向板を有し、
前記風向調整ボックスの最も上方に設けられる前記上下風向板は、前記送風室の前記冷気吹出口の上端よりも上方に設けられ、前記風向調整ボックスの最も下方に設けられる前記上下風向板は、前記送風室の前記冷気吹出口の下端よりも下方に設けられる、
空気調和機。
【請求項３】
空気調和機本体と、前記空気調和機本体の上方に設けられる送風室と、を有する空気調和機であって、
前記空気調和機本体は、冷気を上方に吹き上げることで、冷気供給口を介して前記冷気を前記送風室へ供給し、
前記送風室は、前記冷気供給口を介して供給された前記冷気が排出される冷気吹出口を前面側に有し、
前記送風室の内部には、前記冷気供給口から前記冷気吹出口に向かって延びる円弧板が所定間隔ごとに配置されることで、前記冷気が通過する流路が形成され、
前記送風室の前記冷気を吹き出す前記冷気吹出口に取り付けられ、前記送風室よりも水平方向に大きい風向調整ボックスをさらに有し、
前記風向調整ボックスは、垂直方向に所定間隔ごとに設けられる左右風向板を有し、
前記風向調整ボックスの両端に設けられる前記左右風向板は、前記送風室の前記冷気吹出口の端部よりも外側に設けられる、
空気調和機。
【請求項４】
請求項２に記載の空気調和機において、
前記上下風向板は、３ｃｍ〜７ｃｍの間に含まれるいずれかの間隔ごとに設けられる、
空気調和機。
【請求項５】
請求項２に記載の空気調和機において、
前記上下風向板の長さは、１０ｃｍ以上である、
空気調和機。
【請求項６】
請求項２に記載の空気調和機において、
前記上下風向板が流線形である、
空気調和機。
【請求項７】
請求項３に記載の空気調和機において、
前記左右風向板が流線形である、
空気調和機。
【発明の詳細な説明】
【技術分野】
【０００１】
本発明は、空気調和機に関する。
【背景技術】
【０００２】
データセンタには、複数のサーバラック（以下、ラックと呼ぶ場合がある）が設置される。それぞれのラックは、箱形の筐体であり、サーバ装置、ストレージ装置、ネットワーク装置などの電子機器が収容される。
【０００３】
データセンタには、複数のラックを列状に並べたラック列が配置される。また、データセンタ内の複数のラック列は、ラック列の前面同士および背面同士が通路を挟んで対向するように配置される。そして、ラック列の前面側にコールドアイルが形成され、ラック列の背面側にホットアイルが形成される。このようにラック列が配置されることにより、床下吹出し式の空気調和機がフリーアクセス床を介して床下に噴出した冷気は、コールドアイルの床に設置されたグレーチングを介してコールドアイルに吹き出し、電子機器へ冷気が供給される。そして、電子機器から熱気がホットアイルへ排気され、ホットアイルから床下吹出し式の空気調和機が熱気を回収するエアフローが形成される。このようなエアフローを作ることで電子機器の効率的な冷却が可能となる。
【０００４】
特開２００４−１８４０７０号公報（特許文献１）には、ラックの前面に回り込み防止壁を設置し、コールドアイルとホットアイルとの間を分離する技術が記載されている。
【０００５】
また、空気調和機器の消費電力増加に伴い、冷気が届きにくいスポットに対して直接冷気を吹き出す直吹出し式空気調和機が使用されている。直吹出し式空気調和機は、上述した床下吹出し式の空気調和機と異なり、ピンポイントで冷気を送風できる。直吹出し式空気調和機は、空気調和機本体と、空気調和機本体の上方に設けられる送風室とから構成される。そして、空気調和機本体が送風室へ吹き上げた冷気は、送風室の天板に吹き付けられた後に、送風室の前面から吹き出される。
【先行技術文献】
【特許文献】
【０００６】
【特許文献１】特開２００４−１８４０７０号公報
【発明の概要】
【発明が解決しようとする課題】
【０００７】
従来の直吹出し式空気調和機では、冷気は、天板に吹き付けられ、その後、前面から吹き出されるため、前面から冷気を吹き出すのに必要なエネルギーにロスが発生するという問題があった。
【０００８】
本発明の目的は、空気調和機の消費電力を低減可能にする技術を提供することである。
【課題を解決するための手段】
【０００９】
本願において開示される発明のうち、代表的なものの概要を簡単に説明すれば、次の通りである。
【００１０】
本発明の一実施の形態の空気調和機は、空気調和機本体と、前記空気調和機本体の上方に設けられる送風室と、を有する空気調和機であって、前記空気調和機本体は、冷気を上方に吹き上げることで、冷気供給口を介して前記冷気を前記送風室へ供給する。また、前記送風室は、前記冷気供給口を介して供給された前記冷気が排出される冷気吹出口を前面側に有する。また、前記送風室の内部には、前記冷気供給口から前記冷気吹出口に向かって延びる円弧板が所定間隔ごとに配置されることで、前記冷気が通過する流路が形成される。
【発明の効果】
【００１１】
本願において開示される発明のうち、代表的なものによって得られる効果を簡単に説明すれば以下のとおりである。
【００１２】
本発明の代表的な実施の形態によれば、空気調和機の消費電力を低減できる。
【図面の簡単な説明】
【００１３】
【図１】従来の直吹出し式空気調和機の正面図である。
【図２】従来の直吹出し直吹出し式空気調和機内のエアフローを説明する図である。
【図３】本発明の一実施の形態における直吹出し式空気調和機の正面図である。
【図４】本発明の一実施の形態における直吹出し式空気調和機内のエアフローを説明する図である。
【図５】本発明の一実施の形態における直吹出し式空気調和機の送風室に設けられるガイドの斜視図である。
【図６】（ａ）は、従来の直吹出し式空気調和機の送風室を側方から観察した図であり、（ｂ）は、本発明の一実施の形態における直吹出し式空気調和機の送風室および風向調整ボックスを側方から観察した図である。
【図７】（ａ）は、従来の直吹出し式空気調和機の上下風向板の側面図であり、（ｂ）は、本発明の一実施の形態における直吹出し式空気調和機の上下風向板の側面図である。
【図８】（ａ）〜（ｃ）は、本発明の一実施の形態における直吹出し式空気調和機の上下風向板を側方から観察した図である。
【図９】（ａ）〜（ｃ）は、本発明の一実施の形態における直吹出し式空気調和機の上下風向板を側方から観察した図である。
【図１０】本発明の一実施の形態における直吹出し式空気調和機の他の上下風向板の側面図である。
【発明を実施するための形態】
【００１４】
以下、本発明の実施の形態を図面に基づいて詳細に説明する。なお、実施の形態を説明するための全図において、同一部には原則として同一の符号を付し、その繰り返しの説明は省略する。
【００１５】
＜直吹出し式空気調和機＞
まず、図１と図２とを用いて従来の直吹出し式空気調和機１について、説明する。図１は、従来の直吹出し式空気調和機１の正面図である。図２は、直吹出し式空気調和機１内のエアフローを説明する図である。なお、図１、図２において、直吹出し式空気調和機１は、説明の便宜の為に模式的に図示されている。
【００１６】
直吹出し式空気調和機１は、空気４１０を、入気口１１００から吸引し、吸引した空気４１０を空気調和機本体１０００で冷却する。これによって、冷却された空気４１０は冷気４２０になる。その後、空気調和機本体１０００は、冷気４２０を上方に吹き上げることで、冷気４２０を送風室２０００へと供給する。送風室２０００へと吹き上げられた冷気４２０は、送風室２０００内を上方へと移動し送風室２０００の天板に吹き付けられる。その後、送風室２０００の天板に吹き付けられた冷気４２０は、冷気吹出し口２３００から吹き出される。
【００１７】
上述したように、冷気４２０は、上方まで移動され天板に吹き付けられた後に、冷気吹出し口２３００から吹き出される。そのため、図１、図２に示されるように、冷気吹出し口２３００から吹き出される冷気４２０の量は、上方の領域１２００が多く、均一ではないという問題があった。
【００１８】
また、空気調和機本体１０００が送風室２０００へ吹き上げた冷気４２０は、天板に吹き付けられ、その後、冷気吹出し口２３００から吹き出されるため、冷気４２０を吹き出すのに必要なエネルギーがロスするという問題があった。
【００１９】
以下、本発明の一実施の形態における直吹出し式空気調和機１０の全体構成について、図３と図４を用いて説明する。図３は、本発明の一実施の形態における直吹出し式空気調和機１０の正面図である。図４は、本発明の一実施の形態における直吹出し式空気調和機１０のエアフローを説明する図である。
【００２０】
図３、図４に示されるように、空気調和機の一例である直吹出し式空気調和機１０は、空気調和機本体１００と、空気調和機本体１００の上方に設けられる送風室２００と、送風室２００の前面側の流路出口２３０に取り付けられる風向調整ボックス３００とを有する。
【００２１】
空気調和機本体１００は、入気口１１０を介してデータセンタ内の空気４１０を吸引する。そして、空気調和機本体１００は、吸引した空気４１０を冷却する。空気調和機本体１００により冷却されることによって、空気調和機本体１００内に吸引された空気４１０は冷気４２０になる。その後、空気調和機本体１００は、冷気４２０を上方に吹き上げることで、冷気供給口を介して冷気４２０を送風室２００へと供給する。送風室２００は、冷気供給口を介して供給された冷気４２０が排出される冷気吹出口を前面側に有する。
【００２２】
送風室２００の内部には、冷気供給口から冷気吹出口に向かって延びる円弧板２１２が所定間隔ごとに配置されることで、冷気４２０が通過する流路２１３が形成される。
【００２３】
送風室２００へと供給された冷気４２０は、ガイド２１０内に形成される流路を、流路入口２２０から流路出口２３０へ向かって流れる。そして、流路出口２３０に到達した冷気４２０は、左右風向板３１０と上下風向板３２０の方向に沿って吹き出される。
【００２４】
その後、流路出口２３０から吹き出される冷気４２０は、左右風向板３１０および上下風向板３２０を通過した後に、風向調整ボックス３００から吹き出される。
【００２５】
風向調整ボックス３００には、所定間隔（１５ｃｍ〜２０ｃｍの間に含まれるいずれかの間隔）ごとに左右風向板３１０が設けられる。また、風向調整ボックス３００には、所定間隔（３ｃｍ〜７ｃｍの間に含まれるいずれかの間隔）ごとに上下風向板３２０が設けられる。
【００２６】
また、左右風向板３１０は、揺動軸を介して水平方向（左右方向）に揺動自在に支持される。左右風向板３１０が揺動軸を支点に左方向または右方向に向きを変更されることで、流路出口２３０から吹き出される冷気４２０の向きが左方向または右方向に変更される。
【００２７】
上下風向板３２０は、揺動軸を介して垂直方向（上下方向）に揺動自在に支持される。上下風向板３２０が揺動軸を支点に上方向または下方向に向きを変更されることで、流路出口２３０から吹き出される冷気４２０の向きが、上方向または下方向に変更される。
【００２８】
＜ガイド＞
図５は、本発明の一実施の形態における直吹出し式空気調和機の送風室に設けられるガイド２１０の斜視図である。
【００２９】
図５に示されるように、ガイド２１０は、所定間隔（５ｃｍ〜３０ｃｍの間のいずれかの間隔）ごとに垂直方向に並んで配置される扇形状の複数の縦仕切板２１１と、縦仕切板２１１と直交する方向であって、同心円上に並んで所定間隔（３ｃｍ〜２０ｃｍの間のいずれかの間隔）ごとに配置される円弧状の複数の円弧板２１２とから構成される。なお、縦仕切板２１１が配置される間隔と、円弧板２１２が配置される間隔とが狭くなることで、冷気４２０が接触する面積が増加し、摩擦抵抗が大きくなる。そのため、縦仕切板２１１が配置される間隔と、円弧板２１２が配置される間隔とは、できるだけ広くすることが望ましい。例えば、縦仕切板２１１が配置される間隔は、２０ｃｍ〜３０ｃｍの間のいずれかの間隔が望ましく、円弧板２１２が配置される間隔は、１５ｃｍ〜２０ｃｍの間のいずれかの間隔が望ましい。
【００３０】
また、ガイド２１０は、左右方向が縦仕切板２１１で、上下方向が円弧板２１２で囲われることで形成される複数の流路入口２２０と、各流路入口２２０に対応する複数の流路出口２３０とを有する。また、ガイド２１０の内部には、左右方向が縦仕切板２１１で、上下方向が円弧板２１２で囲われることで、冷気が通過する流路２１３が形成される。
【００３１】
円弧板２１２は側方から観察した場合に円弧形状であり、冷気４２０は流路入口２２０から流路出口２３０まで、流路２１３に沿ってスムーズに流れる。そのため、冷気４２０が送風室の天板に吹き付けられることがなくなり、エネルギーのロスが減少する。
【００３２】
縦仕切板２１１および円弧板２１２は、ほぼ等間隔で配置され、各流路出口２３０と、各流路入口２２０とは、格子状に配置される。また、各流路入口２２０と各流路２１３の面積（流路２１３の縦断面の面積）と各流路出口２３０の面積は、ほぼ同一である。各流路２１３に冷気４２０が充填された状態で各流路入口２２０から冷気４２０が供給されることで、各流路出口２３０から冷気４２０が押し出される。そのため、各流路出口２３０から吹き出される冷気４２０の量を均一に近づけることができる。
【００３３】
＜送風室および風向調整ボックス＞
図６（ａ）は、従来の直吹出し式空気調和機の送風室２０００を側方から観察した図であり、図６（ｂ）は、本発明の一実施の形態における直吹出し式空気調和機の送風室２００および風向調整ボックス３００を側方から観察した図である。
【００３４】
図６（ａ）に示されるように、従来の直吹出し式空気調和機では、送風室２０００の内部に左右風向板３１００と、上下風向板３２００とが設けられている。そして、従来の直吹出し式空気調和機では、最も上方に設けられる上下風向板３２００の揺動軸の高さが、送風室２０００の吹出し口２３００の上端の高さよりも低い。そのため、所定の向きに上下風向板３２００を変更した場合に最も上方に設けられる上下風向板３２００の送風室側の端と、吹出し口２３００の上端との間に隙間３３１０が発生する場合がある。
【００３５】
また、従来の直吹出し式空気調和機では、最も下方に設けられる上下風向板３２００の揺動軸の高さが、送風室２０００の吹出し口２３００の下端の高さよりも低い。そのため、最も下方に設けられる上下風向板３２００の送風室側の端と、吹出し口２３００の下端との間に隙間３３２０が存在する場合がある。
【００３６】
そして、従来の直吹出し式空気調和機では、隙間３３１０，３３２０を通過する冷気４２０については風向を変更できないという問題があった。
【００３７】
図６（ｂ）に示されるように、本発明の一実施の形態における直吹出し式空気調和機では、送風室２００よりも上下方向（上下方向）および水平方向（左右方向）に大きな風向調整ボックス３００が、送風室２００に取り付けられている。また、風向調整ボックス３００が、送風室２００に着脱自在に取り付けられていることによって、送風室２００が空気調和機本体１００から分離できない場合であっても、風向調整ボックス３００のみの交換が可能になる。そして、本発明の一実施の形態における直吹出し式空気調和機を、後付けで低コストで実現できる。
【００３８】
風向調整ボックス３００の内部には、左右風向板３１０と、上下風向板３２０とが設けられる。
【００３９】
各上下風向板３２０は、揺動軸を支点に、上下方向の向きを変更させられる。最も上方に設けられる上下風向板３２０の揺動軸は、送風室２００の吹出し口の上端の高さよりも高い位置（または高さが同一の位置）に取り付けられる。そして、最も上方に設けられる上下風向板３２０は、送風室２００の吹出し口の上端よりも高い位置（または高さが同一の位置）を支点に揺動する。これによって、吹出し口の上端付近を通過する冷気４２０は、上下風向板３２０と接触する。そして、上下風向板３２０は、吹出し口の上端付近を通過する冷気４２０の風向を変更できる。
【００４０】
また、最も下方に設けられる上下風向板３２０の揺動軸は、送風室２００の吹出し口の下端の高さよりも低い位置（または高さが同一の位置）に取り付けられる。最も下方に設けられる上下風向板３２０は、送風室２００の吹出し口の下端よりも低い位置（または高さが同一の位置）を支点に揺動する。これによって、吹出し口の下端付近を通過する冷気４２０は、上下風向板３２０と接触する。そして、上下風向板３２０は、吹出し口の下端付近を通過する冷気４２０の風向を変更できる。
【００４１】
また、各左右風向板３１０は、揺動軸を支点に、水平方向に向きを変更させられる。最も一端側（右側方の端側）に設けられる左右風向板３１０の揺動軸は、送風室２００の吹出し口の一端（右側方の端）よりも一端方向（右方向）の位置（または同一の位置）に取り付けられる。そして、最も一端側に設けられる左右風向板３１０は、送風室２００の吹出し口の一端よりも右にずれた位置（または同一の位置）を支点に揺動する。これによって、左右風向板３１０は、吹出し口の一端（右側方の端）付近を通過する冷気４２０の風向を変更できる。
【００４２】
また、最も他端側（左側方の端側）に設けられる左右風向板３１０の揺動軸は、送風室２００の吹出し口の他端（左側方の端）よりも他端方向（左方向）の位置（または同一の位置）に取り付けられる。そして、最も他端側に設けられる左右風向板３１０は、送風室２００の吹出し口の一端よりも左にずれた位置（または同一の位置）を支点に揺動する。これによって、左右風向板３１０は、吹出し口の他端（左側方の端）付近を通過する冷気４２０の風向を変更できる。
【００４３】
すなわち、風向調整ボックス３００の両端に設けられる左右風向板３１０は、送風室２００の冷気吹出し口の端部よりも外側に設けられる。
【００４４】
なお、各左右風向板３１０と各上下風向板３２０との少なくともいずれか一方が一体で揺動されないようにしても良い。これによって、各左右風向板３１０や、各上下風向板３２０の向きを個別に変更可能になる。
【００４５】
＜風向板＞
図７（ａ）は、従来の直吹出し式空気調和機の上下風向板３２００の側面図であり、図７（ｂ）は、本発明の一実施の形態における直吹出し式空気調和機の上下風向板３２０の側面図である。
【００４６】
図７（ａ）に示されるように、従来の直吹出し式空気調和機では、上下風向板３２００の長さＬ’が充分ではないため、一部の冷気４２０は、上下風向板３２００に接触することなく冷気吹出し口から外部へと吹き出されてしまう。この場合、上下風向板３２００に接触することなく外部へと吹き出されてしまう冷気４２０については、上下方向の風向を変更させることができないという問題があった。
【００４７】
図７（ｂ）に示されるように、上下風向板３２０の長さを、Ｌ’よりも長いＬとすることによって、上下風向板３２０に接触する冷気４２０の量が増加する。同様に、左右風向板の長さを長くすることによって、左右風向板に接触する冷気４２０の量が増加する。
【００４８】
図８（ａ）〜（ｃ）は、本発明の一実施の形態における直吹出し式空気調和機１０の上下風向板３２０の側面図である。図８（ａ）は、上下風向板３２０が設けられる間隔が１０ｃｍであり、上下風向板３２０の長さが１０ｃｍであり、上下風向板３２０の水平面に対する角度が１０度である場合の例を示す。図８（ａ）に示される場合、上下風向板３２０を冷気が素通りする領域の高さは、８．３ｃｍとなる。
【００４９】
図８（ｂ）は、上下風向板３２０が設けられる間隔が１０ｃｍであり、上下風向板３２０の長さが１５ｃｍであり、上下風向板３２０の水平面に対する角度が１０度である場合の例を示す。図８（ｂ）に示される場合、上下風向板３２０の長さを１０ｃｍから１５ｃｍへと長くされることで、図８（ａ）に示される例と比較して上下風向板３２０を冷気４２０が素通りする領域の高さは、８．３ｃｍから７．４ｃｍへと改善する。これによって、図８（ａ）に示される例と比較して上下風向板３２０を素通りする冷気４２０の量は約１０％減少する。
【００５０】
図８（ｃ）は、上下風向板３２０が設けられる間隔が１０ｃｍであり、上下風向板３２０の長さが２０ｃｍであり、上下風向板３２０の水平面に対する角度が１０度である場合の例を示す。図８（ｃ）に示される場合、上下風向板３２０の長さを１５ｃｍから２０ｃｍへと長くされることで、図８（ｂ）に示される例と比較して上下風向板３２０を冷気が素通りする領域の高さは、７．４ｃｍから６．５ｃｍへと改善する。これによって、図８（ａ）に示される例と比較して上下風向板３２０を素通りする冷気４２０の量は約２１％減少する。
【００５１】
上述したように、上下風向板３２０の長さが長くなるのに比例して、上下風向板３２０を素通りする冷気４２０の量は減少する。同様に、左右風向板の長さが長くなるのに比例して、左右風向板を素通りする冷気４２０の量は減少する。本発明の一実施の形態の直吹出し式空気調和機１０は、上下風向板３２０の長さが１０ｃｍ以上である。これによって、上下風向板３２０を素通りする冷気４２０の量が減少する。また、本発明の一実施の形態の直吹出し式空気調和機１０は、左右風向板の長さが５ｃｍ以上である。これによって、左右風向板を素通りする冷気４２０の量が減少する。
【００５２】
ここで、左右風向板３１０または上下風向板３２０の長さを長くした場合、風向調整ボックス３００の奥行きが長くなるという問題がある。そのため、後述するように、左右風向板３１０または上下風向板３２０が設けられる間隔を狭くすることが、より望ましい。
【００５３】
図９（ａ）〜（ｃ）は、本発明の一実施の形態における直吹出し式空気調和機１０の上下風向板３２０の側面図である。図９（ａ）は、上下風向板３２０が設けられる間隔が５ｃｍであり、上下風向板３２０の長さが１０ｃｍであり、上下風向板３２０の水平面に対する角度が１０度である場合の例を示す。図９（ａ）に示される場合、上下風向板３２０が設けられる間隔を１０ｃｍから５ｃｍへと狭くすることで、図８（ａ）に示される例と比較して、上下風向板３２０を冷気が素通りする領域の高さは、８．３ｃｍから３．３ｃｍへと改善する。
【００５４】
図９（ｂ）は、上下風向板３２０が設けられる間隔が５ｃｍであり、上下風向板３２０の長さが１５ｃｍであり、上下風向板３２０の水平面に対する角度が１０度である場合の例を示す。図９（ｂ）に示される場合、上下風向板３２０が設けられる間隔を１０ｃｍから５ｃｍへと狭くすることで、図８（ｂ）に示される例と比較して上下風向板３２０を冷気が素通りする領域の高さは、７．４ｃｍから２．４ｃｍへと改善する。
【００５５】
図９（ｃ）は、上下風向板３２０が設けられる間隔が５ｃｍであり、上下風向板３２０の長さが２０ｃｍであり、上下風向板３２０の水平面に対する角度が１０度である場合の例を示す。図９（ｃ）に示される場合、上下風向板３２０が設けられる間隔を１０ｃｍから５ｃｍへと狭くすることで、図８（ｃ）に示される例と比較して上下風向板３２０を冷気が素通りする領域の高さは、６．５ｃｍから１．５ｃｍへと改善する。
【００５６】
上述したように、上下風向板３２０が設けられる間隔が狭くなるのに比例して、上下風向板３２０を素通りする冷気４２０の量は減少する。本発明の一実施の形態の直吹出し式空気調和機１０の上下風向板３２０は、３ｃｍ〜７ｃｍの間に含まれるいずれかの間隔ごとに設けられる。これによって、風向調整ボックス３００の奥行きを長くすることなく上下風向板３２０を素通りする冷気４２０の量を減少できる。
【００５７】
同様に、左右風向板が設けられる間隔が狭くなるのに比例して、左右風向板を素通りする冷気４２０の量は減少する。本発明の一実施の形態の直吹出し式空気調和機１０の左右風向板は、１ｃｍ〜５ｃｍの間に含まれるいずれかの間隔ごとに設けられる。これによって、風向調整ボックス３００の奥行きを長くすることなく左右風向板を素通りする冷気４２０の量を減少できる。
【００５８】
なお、図１０に示されるように、上下風向板３２１を流線形（孤形）にしても良い。これによって、上下風向板３２１に吹き付けられる冷気４２０は、上下風向板３２１に沿ってスムーズに流れるため、冷気を吹き出すのに必要なエネルギーを減少できる。
【００５９】
＜本実施の形態の効果＞
以上説明した本実施の形態における空気調和機によれば、送風室２００の内部に冷気供給口から冷気吹出口に向かって延びる円弧板２１２が所定間隔ごとに配置されることで、送風室２００の天面に吹き付けられることなく流路２１３に沿って冷気４２０が流れる。これによって、空気調和機の消費電力を低減できる。
【００６０】
また、冷気４２０が流れる流路２１３が、左右方向が縦仕切板２１１で上下方向が円弧板２１２で囲われることで形成されることで、冷気吹出し口から吹き出される冷気４２０の量を均一に近づけることができる。
【００６１】
また、風向調整ボックス３００の最も上方に設けられる上下風向板３２０が、送風室２００の冷気吹出し口の上端よりも上方にずれた位置に設けられることで、吹出し口の上端付近を通過する冷気４２０の風向を変更できる。
【００６２】
また、風向調整ボックス３００の最も下方に設けられる上下風向板３２０が、送風室２００の冷気吹出し口の下端よりも下方に設けられることで、吹出し口の下端付近を通過する冷気４２０の風向を変更できる。
【００６３】
また、風向調整ボックス３００の最も右方に設けられる左右風向板３１０が、送風室２００の冷気吹出し口の右端よりも右方に設けられることで、左右風向板３１０が、吹出し口の一端（右側方の端）付近を通過する冷気４２０の風向を変更できる。
【００６４】
また、風向調整ボックス３００の両端に設けられる左右風向板３１０が、送風室２００の冷気吹出し口の端部よりも外側に設けられることで、左右風向板３１０が、吹出し口の他端（左側方の端）付近を通過する冷気４２０の風向を変更できる。
【００６５】
また、上下風向板３２０が、３ｃｍ〜７ｃｍの間に含まれるいずれかの間隔ごとに設けられることで、上下風向板３２０が設けられる間隔が７ｃｍを超える場合と比較して、上下風向板３２０を素通りする冷気４２０の量を減少できる。
【００６６】
また、上下風向板３２０の長さを１０ｃｍ以上とすることで、上下風向板３２０の長さが１０ｃｍ未満である場合と比較して、上下風向板３２０を素通りする冷気４２０の量を減少できる。
【００６７】
また、上下風向板３２０と左右風向板３１０との少なくともいずれか一方が流線形であることで、冷気を吹き出すのに必要なエネルギーを減少できる。
【００６８】
以上、本発明者によってなされた発明を実施の形態に基づき具体的に説明したが、本発明は前記実施の形態に限定されるものではなく、その要旨を逸脱しない範囲で種々変更可能であることはいうまでもない。
【符号の説明】
【００６９】
１０…直吹出し式空気調和機、
１００…空気調和機本体、１１０…入気口、
２００…送風室、２１０…ガイド、２２０…流路入口、２３０…流路出口、
３００…風向調整ボックス、３１０…左右風向板、３２０…上下風向板、
４１０…空気、４２０…冷気。
【図１】
0006677465.tif 000002
【図２】
0006677465.tif 000003
【図３】
0006677465.tif 000004
【図４】
0006677465.tif 000005
【図５】
0006677465.tif 000006
【図６】
0006677465.tif 000007
【図７】
0006677465.tif 000008
【図８】
0006677465.tif 000009
【図９】
0006677465.tif 000010
【図１０】
0006677465.tif 000011